(57)【特許請求の範囲】
【請求項１】
表示パネルと、前記表示パネルの周縁部を保持するフレームとを有する表示素子であって、
前記フレームは案内部を有し、かつ、前記表示パネルの表面から外側に向かって突出する部分であって前記表示パネルの表面に向かう冷却風の流れを妨げる部分を実質的に有さず、
前記案内部は、前記表示パネルの表面と実質的に連続する傾斜面を含む案内面を有し、前記表示パネルの周縁部に向けて供給される冷却風の少なくとも一部は、前記案内面に沿うように移動しながら前記表示パネルの表面に導かれる表示素子。
【請求項２】
前記フレームの表面と前記表示パネルの表面との段差は０．３ｍｍ以下である、請求項１に記載の表示素子。
【請求項３】
前記フレームは、前記表示パネルを挟んで前記案内部と対向するように設けられた第２の案内部を備え、
前記第２の案内部は、前記表示パネルの表面と実質的に連続し、且つ、前記表示パネルの表面から傾斜するように形成された第２の案内面を含み、
これにより、前記冷却風の少なくとも一部が前記表示パネルの表面を通過した後に前記第２の案内面に沿うように流れることによって、前記冷却風が滞留することが防止される請求項１または２に記載の表示素子。
【請求項４】
前記案内面の断面は、曲面を含む請求項１から３のいずれかに記載の表示素子。
【請求項５】
前記案内面の断面は、略円弧状の曲面を含む請求項４に記載の表示素子。
【請求項６】
前記案内面において、前記冷却風が流れる方向に沿って設けられた複数の羽根を有する請求項１から５のいずれかに記載の表示素子。
【請求項７】
前記表示パネルの表面および前記フレームの前記案内面との間に隙間を形成するように配置され、前記表示パネルの表面に前記冷却風が流れ込むための開口部を規定する部材を更に備える請求項１から６のいずれかに記載の表示素子。
【請求項８】
前記表示パネルの表面および前記フレームの前記第２の案内面との間に間隙を形成するように配置され、前記表示パネルに蓄積された熱を吸収した冷却風を排出する開口部を規定する部材を更に備える請求項３に記載の表示素子。
【請求項９】
前記開口部を規定する部材は、前記表示パネルの周辺部分を選択的に覆うように設けられており、前記表示パネルの周辺部分を遮光することができる請求項７または８に記載の表示素子。
【請求項１０】
前記案内部は、前記表示パネルの両側表面に冷却風を導くことができる請求項１から９のいずれかに記載の表示素子。
【請求項１１】
前記表示パネルに電気信号を伝達するための配線が設けられたフレキシブル基板を更に備え、前記フレキシブル基板に開口部を設けたことを特徴とする請求項１から１０のいずれかに記載の表示素子。
【請求項１２】
前記表示パネルは、一対の基板と、前記一対の基板によって挟持される液晶層とを備える請求項１から１１のいずれかに記載の表示素子。
【請求項１３】
請求項１２に記載の表示素子と、
前記表示素子の表示パネルに光を照射するための光源と、
前記冷却風を生成するための送風手段と、
を備える投射型液晶表示装置。
【請求項１４】
前記送風手段は、前記表示素子の下方に配置され、前記表示素子の周縁部に向けて冷却風を供給する請求項１３に記載の投射型液晶表示装置。
【発明の詳細な説明】
【０００１】
【発明の属する技術分野】
本発明は、投射型画像表示装置への使用に適した画像表示素子に関し、より具体的には、表示パネルの冷却効率を向上させることができる表示素子に関する。
【０００２】
【従来の技術】
従来から、透過型の液晶パネルを用いて構成された投射型画像表示装置（液晶プロジェクタ）が知られている。液晶プロジェクタは、ＣＲＴを用いる投射型画像表示装置と比較して、色再現範囲が広い、小型、計量、コンバージェンス調整が不要などの優れた特徴を有している。
【０００３】
液晶プロジェクタにおいて、光源からの光は、反射鏡などの光学系を用いて液晶パネルに有効に照射される。光源には、例えばキセノンランプやメタルハライドランプなどの高出力光源が用いられており、このような強力な光を放射する光源を用いることによって、スクリーンに投射される画像の明るさを向上させている。
【０００４】
光源からの光は、通常、熱線（赤外線）をカットするフィルタを通され、これによって、不要な赤外線が除去される。しかし、赤外線がカットされていたとしても、液晶パネルに連続的に強い光線が照射されると、液晶パネルではかなり大きな発熱が生じる。発熱は、照射光の強度分布のバラツキなどによって液晶パネルの表面中央部において特に集中し、様々な弊害（コントラストの低下、表示ムラの発生など）を引き起こす原因となる。
【０００５】
このため、液晶プロジェクタには、液晶パネルを冷却するための冷却機構が設けられている。この冷却機構として、例えば、電動ファンを用いて液晶パネルに冷却風を送る空冷装置が知られている。特開昭６４−２９０７１号公報には、ファンからの冷却風を、光路を形成する導光管を通して液晶パネルへと送る装置が記載されている。この装置では、液晶パネルから離れた場所に位置するファンによって生成された風を液晶パネルまで導き、これを液晶パネルの表面にあてることによって冷却を行っている。
【０００６】
また、Ｒ（赤）、Ｇ（緑）、Ｂ（青）用の３枚の液晶パネルを備える３板式のプロジェクタなどにおいて、液晶パネルの下方に空冷用ファンを設けた構成が知られている。ファンからの風は、液晶パネルの直下に設けられた送風口から液晶パネルの下側端面部付近に向けて供給される。この構成においては、冷却風は液晶パネル表面の熱を奪いながら上方へと流れ、これによって液晶パネルが冷却される。
【０００７】
従来、これら空冷式の冷却機構を用いる場合において、液晶パネル周辺には、冷却風を通過させるための比較的大きい空間が設けられていた。このようにすれば、液晶パネル付近を流れる冷却風の風量を増加させることができ、液晶パネルをより効果的に冷却することが可能になる。
【０００８】
このように液晶パネルの表面を冷却することで、液晶パネル周辺の温度を例えば約５０℃前後の比較的低い温度に保つことができ、過度の昇温を防止して液晶パネルを適切に動作させることができる。
【０００９】
【発明が解決しようとする課題】
一方で、最近では、電子技術の発展を背景として、モバイル志向への対応などの点から、投射型画像表示装置の小型化に対するニーズが高まってきている。液晶パネルとしては、対角１インチ未満のサイズを有するマイクロディスプレイも開発されており、今後、液晶プロジェクタの小型化は、よりいっそう進展するものと考えられる。
【００１０】
しかし、液晶プロジェクタの小型化を進めるにつれ、液晶パネルを冷却することは、より困難になる。液晶パネルの周辺において、冷却風の通り道となる空間を確保することが難しくなるからである。
【００１１】
特に、ダイクロイックプリズムの周囲にＲ（赤）、Ｇ（緑）、Ｂ（青）用の３枚の液晶パネルを配置した構成を有する３板式のプロジェクタでは、単板式のプロジェクタに比べて光学系が繁雑で部品点数が多いこともあり、液晶パネル周辺において余分な空間を設けることは、装置の小型化を実現する上で望ましくない。３板式の液晶プロジェクタにおいて、ダイクロイックプリズム周辺に大きな空間を確保することは、装置の小型化に対するネックとなる。
【００１２】
特開平８−２１１３９０号には、空冷式での冷却効率を高めるために、液晶パネルに放熱部材（冷却器）を取り付けた装置が記載されている。しかし、この従来技術も、液晶パネルに対して金属製枠などから形成される冷却器を余分に付け加えたものであるため、装置の小型化に適さない場合が生じ得る。装置の小型化を推し進めた場合、液晶パネルの表面と、これに隣接する他の部材との間の間隙は非常に狭くなると考えられるが、この場合には、パネルに取りつけた冷却器によって冷却風の流れが妨害され、かえって冷却効率が低下するおそれが有る。
【００１３】
なお、冷却効率を向上させるためには、送風器の出力を増加させ、流速の高い風を送ることも考えられるが、この場合には、風によって生じる騒音が大きくなるという問題が生じる。液晶プロジェクタは、静かな場所での用途が見込まれており、快適なアメニティーを重要視する時代にあっては、騒音を低下させることも重要な課題である。
【００１４】
また、スクリーンに投射される画像の輝度を向上させることが要求される場合には、光源の出力を高めることが必要となり、この場合にも、液晶パネルの冷却効率を向上させることが重要になる。発熱量は光源出力の２乗のファクタで増大するため、冷却効率が低い場合には、液晶パネルを適切に動作させることができなくなる。
【００１５】
本発明は、かかる諸点を鑑みてなされたものであり、その主な目的は、小型化に適した形態で、表示パネルの冷却効率を高めることができる表示素子を提供することにある。
【００１６】
本発明の他の目的は、上記表示素子を備えた投射型液晶表示装置を提供することにある。
【００１７】
【課題を解決するための手段】
本発明による表示素子は、表示パネルと、前記表示パネルの周縁部を保持するフレームとを有する表示素子であって、前記フレームは、前記表示パネルの周縁部に向けて供給される冷却風を前記表示パネルの表面に導くための案内部を有する。
【００１８】
好ましい実施形態において、前記フレームは、前記表示パネルの表面から外側に向かって突出し、前記表示パネルの表面に向かう冷却風の流れを妨げる部分を実質的に有しない。
【００１９】
好ましい実施形態において、前記案内部は、前記表示パネルの表面と実質的に連続し、且つ、前記表示パネルの表面から傾斜するように形成された案内面を含み、前記冷却風の少なくとも一部は、前記案内面に沿うように移動しながら前記表示パネルの表面に導かれる。
【００２０】
好ましい実施形態において、前記フレームは、前記表示パネルを挟んで前記案内部と対向するように設けられた第２の案内部を備え、前記第２の案内部は、前記表示パネルの表面と実質的に連続し、且つ、前記表示パネルの表面から傾斜するように形成された第２の案内面を含み、これにより、前記冷却風の少なくとも一部が前記表示パネルの表面を通過した後に前記第２の案内面に沿うように流れることによって、前記冷却風が滞留することが防止される。
【００２１】
好ましい実施形態において、実施形態において、前記案内面は、前記表示パネルの表面から延びるように形成された、断面略円弧状の曲面を含む。
【００２２】
ある実施形態において、前記案内面において、前記冷却風が流れる方向に沿って設けられた複数の羽根を有する。
【００２３】
ある実施形態において、前記表示パネルの表面および前記フレームの案内面との間に間隙を有するように配置され、前記表示パネルの表面に前記冷却風が流れ込むための開口部を規定する部材を更に備える。
【００２４】
ある実施形態において、前記表示パネルの表面および前記フレームの第２の案内面との間に間隙を有するように配置され、前記表示パネルに蓄積された熱を吸収した冷却風を排出する開口部を規定する部材を更に備える。
【００２５】
好ましい実施形態において、前記開口部を規定する部材は、前記表示パネルの周辺部分を選択的に覆うように設けられており、前記表示パネルの周辺部分を遮光することができる。
【００２６】
ある実施形態において、前記案内部は、前記表示パネルの両側表面に冷却風を導くことができる。
【００２７】
ある実施形態において、前記表示パネルに電気信号を伝達するための配線が設けられたフレキシブル基板を更に備え、前記フレキシブル基板に開口部を設けたことを特徴とする。
【００２８】
好ましい実施形態において、前記表示パネルは、一対の基板と、前記一対の基板によって挟持される液晶層とを備える。
【００２９】
本発明の投射型液晶表示装置は、上記いずれかの表示素子と、前記表示素子の表示パネルに光を照射するための光源と、前記冷却風を生成するための送風手段とを備える。
【００３０】
好ましい実施形態において、前記送風手段は、前記表示素子の下方に配置され、前記表示素子の周縁部に向けて冷却風を供給する。
【００３１】
【発明の実施の形態】
本発明者は、投射型ディスプレイの小型化を前提に透過型の表示パネルの表面を効率良く冷却することを目的として、表示パネルの下方から冷却風を供給した場合における冷却風の流れについて詳細に検討した。上述のように、投射型ディスプレイでは、大出力のファンを用いることが好ましくないことから、なるべく少量の冷却風によって、特に発熱が問題となる表示パネルの表面（特に中央部）を効率良く冷却することが、装置の小型化を実現する上で重要であると考えたからである。
【００３２】
その結果、表示パネルの周縁部を保持するフレームの形状が冷却風の流れに影響を及ぼすことがあり、これによって表示パネル表面の冷却効率が低下し得ることがわかった。ここで、フレームとは、表示パネルの周縁部において表示パネルを保持する部材を指し、ガラス基板などを用いて構成される表示パネルの周縁部を保護するとともに、表示パネルを所定の位置に固定するために用いられ得るものである。
【００３３】
冷却風が所定の面に沿って通過する際、面が大きな曲率を有していると、渦（はく離）が発生する。また、冷却風が、その進路に対して９０°の角度で設けられた面に当たるような場合にも、渦などの気流の乱れが発生する。このとき、渦とともに音も発生する。このようにして冷却風の流れが悪くなると冷却効率は低下し、それとともに騒音の増加も生じる。
【００３４】
このようなフレーム形状に基づく冷却効率の低下は、表示パネルから離れた所に送風機が設けられおり、表示パネルの表面に対して風を送るように構成された投射型表示装置では問題になっていなかったことである。また、投射型表示装置の寸法が比較的大きく、表示パネルの周囲に十分な広さの空間が確保できた装置においても、大きな問題にはなっていなかったことである。
【００３５】
本発明者の実験によれば、図１１（ａ）に示すようなフレーム形状では、表示パネル９０の端面（周縁部）に向けて供給された風の一部は、フレーム９２に当たることによって、パネルの表面にスムーズに流れず、渦を形成し、これにより、冷却効率が低下する。また、渦流が形成されることによって、騒音の増加も生じる。
【００３６】
また、図１１（ｂ）に示すようなフレーム形状では、パネル表面から外側に向かって突出する部分９４（約１．５ｍｍ程度）が、パネル表面へ向かう冷却風の流れを妨害することになる。これにより、冷却風がパネル表面の熱を奪う効果が低減し、また、突出する部分において発生した渦流によって騒音も増大する。
【００３７】
これらのことから、本発明者は、表示パネルの端面部に向けて冷却風を供給する場合において、フレーム付近を流れる冷却風を、表示パネルの表面に冷却風を積極的に導くことができるようなフレームの形状を採用することにした。フレームの端面部は、風の流れに対して低抵抗となるような形状を有していることが望ましい。また、フレームには、表示パネルの外側に突出する部分が実質的に設けられていないことが望ましい。フレームにおいて、表示パネルから突出する部分は、約０．３ｍｍ以下に設定される。このようにして、大型のファンを用いることなく、表示パネルの表面を効果的に冷却することが可能になり、装置の小型化に適した形態で冷却効率を向上させることができた。
【００３８】
なお、本発明の表示素子は、パネル表面に冷却風をより流れ易くした構成を有し、それによって冷却効率を向上させているが、この効果が得られる限り、パネル表面の冷却効率を向上させ得るその他の構成と組み合わせて使用することもできる。
【００３９】
以下、図面を参照しながら、本発明の実施形態を説明する。
【００４０】
（実施形態１）
図１は、実施形態１の液晶プロジェクタ１００の全体構成を示す図である。
【００４１】
液晶プロジェクタ１００は、ダイクロイックプリズム２０の周辺において、赤色用液晶表示素子１０Ｒと、緑色用液晶表示素子１０Ｇと、青色用液晶表示素子１０Ｂとが設けられた、３板式の液晶プロジェクタとして構成されている。
【００４２】
液晶プロジェクタ１００において、メタルハライドランプなどから形成される光源１１から放射された光（白色光）は、熱線をカットする熱線カットフィルタ１２を通過し、ここで余分な赤外線が除去される。熱線カットフィルタ１２を通過した光は、偏光ビームスプリッタ１３を通過した後、赤色光のみを選択的に透過させるダイクロイックミラー１４Ｒ、緑色光のみを選択的に反射させるダイクロイックミラー１４Ｇ、青色光のみを選択的に反射させるダイクロイックミラー１４Ｂによって３原色の光に分解される。
【００４３】
このようにして分解された各色の光は、それぞれに対応して設けられた入射側偏光板１６Ｒ、１６Ｇ、１６Ｂを通って、各液晶表示素子１０Ｒ、１０Ｇ、１０Ｂへと入射される。
【００４４】
各液晶表示素子１０Ｒ、１０Ｇ、１０Ｂにおいて画像情報に基づいて変調された各色の光は、出射側偏光板１８Ｒ、１８Ｇ、１８Ｂを通過した後、ダイクロイックプリズム２０によって結合され、投影レンズ２２に入射される。投影レンズ２２を出た光は、その前方に設けられたスクリーン（不図示）において結像し、これにより、所望の画像が表示される。
【００４５】
なお、上述した液晶プロジェクタ１００の光学系のレイアウトは、従来の液晶プロジェクタのそれと同様であって良い。
【００４６】
図２は、ダイクロイックプリズム２０の周辺を示す断面図である。液晶プロジェクタ１００では、液晶表示素子１０の下方において冷却ファン３０が設けられている。冷却ファン３０は、モータなどの駆動装置によって回転させられ、これにより上方へと流れる冷却風を生成することができる。なお、冷却ファン３０の下方にはフィルタを備えた風取入れ部３６が設けられており、光学ユニットを固定するアルミシャーシ３８の外部から外気を取り込むことができる。ファン３０としては、例えば、ＮＩＤＥＣ  ＣＯＲＰＯＲＡＴＩＯＮ製のＤ０６Ｔ−１２ＴＳ２  ０２Ｂ１１（ＤＣ１２Ｖ、０．２８ｍＡ）を用いることができる。
【００４７】
ファン３０によって発生した冷却風は、風案内板３２に設けられた開口部３４から、液晶表示素子１０の下側端面に向けて供給される。冷却風は、液晶表示素子１０の入射側表面と偏光板１６との間に形成される比較的狭い空間（例えば、幅３ｍｍ程度の空間）を、液晶表示素子１０の表面の熱を奪いながら上方へと流れ、液晶表示素子１０を空冷することができる。
【００４８】
このような構成は、冷却風を液晶パネルに近いところから供給することができるため、上述のような３板式のプロジェクタにおいて液晶表示素子を冷却するのに適している。
【００４９】
また、液晶表示素子１０には、信号を伝達するための配線が設けられたフレキシブル基板４０が接続されている。フレキシブル基板４０の他端は、表示素子１０を駆動する回路の接続端子４４に接続されている。このように、接続端子４４およびフレキシブル基板４０を介して駆動回路から液晶表示素子１０に所定の電気信号を付与することによって、液晶表示素子１０の動作を制御することができる。
【００５０】
なお、図９に示すように、フレキシブル基板４０には開口部４２が設けられていてもよい。液晶パネル１０表面から熱を吸収した冷却風は、この開口部４２を通って外部へと速やかに排出され、これにより、液晶表示素子付近における冷却風の滞留や、乱流の発生を防止することができる。その結果、冷却効率を向上させることができる。
【００５１】
図３は、液晶表示素子１０の構成を示す。液晶表示素子１０は、液晶パネル１と、この液晶パネル１の外周を保持するフレーム２とから構成される。液晶パネル１の光入射側表面１ａおよび光出射側表面１ｂ上には、表示領域以外の領域における光漏れを防止するための遮光板９がそれぞれ設けられている。遮光板９は、樹脂や金属などによって形成されており、例えば、約０．１５ｍｍ〜約０．２５ｍｍの厚さを有する。
【００５２】
液晶パネル１としては、従来の透過型液晶パネルを用いることができる。液晶パネル１は、一対のガラス基板の間に液晶層が挟持された構造を有する。液晶パネル１のサイズは、例えば、対角０．７〜１．３インチで、厚さ４ｍｍ〜６ｍｍ程度である。液晶パネル１では、一対のガラス基板上に形成された透明薄膜電極（例えば、インジウム錫酸化物から形成された行列状をなす画素電極など）を用いて液晶層に電圧が印加され、液晶層の光学特性を変化させることによって表示が行われる。
【００５３】
フレーム２は、例えば樹脂などから形成されており、液晶パネル１の周縁部を適切に保護することができる。また、フレーム２には、取り付け穴３などの接続手段が設けられており、液晶パネル１を、ダイクロイックプリズムなどに対して所定の位置に固定する際に用いられる。
【００５４】
本実施形態において、フレーム２の下端部には、断面円弧状をなす曲面を形成する傾斜部２ａが形成されている。このように液晶パネル１の表面から傾斜するように形成された面（なお、本明細書において「傾斜するように形成された面」は、このような曲面も含むものとする）によって、液晶パネル１の周縁部に向けて供給された冷却風は、液晶パネルの表面１ａへとスムーズに導かれる。傾斜部２ａの近傍を通過する冷却風は、大きな抵抗を受けることなく、傾斜部２ａに沿うようにして流れるので、冷却風によって所望でない渦が形成されることが防止される。
【００５５】
また、フレーム２の上端部には、パネル表面１ａから傾斜する傾斜部２ｂが形成されている。これにより、液晶パネルの入射側表面１ａから熱を奪った冷却風は、傾斜部２ｂに沿ってパネル表面１ａから速やかに退出するので、冷却風の滞留（渦巻き）が生じることを防止することができる。これにより、液晶パネル１が効率良く冷却されるとともに、音の発生も防止することができる。
【００５６】
また、フレーム２は、液晶パネル１の表面から突出する部分を実質的に有しておらず、冷却風が、略平坦な面に沿って流れるようにしている。フレーム２は、液晶パネルの表面１ａから０．２６５ｍｍ以上突出している部分を含んでいないことが望ましい。なお、フレーム２の表面と液晶パネル１の表面１ａとの間でわずかな段差が形成される場合もあるが、本明細書では、段差が０．３ｍｍ以下であれば、これらは実質的に連続する平坦な面を形成しているものと考える。
【００５７】
このようにして、冷却風の流れに対して抵抗が低くなるようにフレームを形成すれば、音の発生を防止しつつ、液晶パネルの表面に比較的流れの速い冷却風を供給することが可能になる。従って、冷却風の有効利用を図ることができ、冷却効率を向上させて液晶パネルを均一に冷却することができる。
【００５８】
なお、本実施形態では、傾斜部２ａの傾斜方向を一方向とすることで、ファンからの冷却風の多くを、光が入射する側のパネル表面１ａに導くようにしている。これは、光源からの光が直接照射される表面１ａの温度がより高くなることから、この高温側の表面１ａを重点的に冷却することが効果的であるからである。
【００５９】
ただし、液晶表示素子１０が位置調整用機構（シャーシ）に取りつけられた場合などにおいて、出射側表面１ｂが冷却しにくくなり、出射側表面１ｂの温度が比較的高温になることもあり得る。この場合には、図４に示すようなフレーム４を用いて、入射側傾斜部４ａおよび出射側傾斜部４ｂに沿って、パネルの両表面１ａおよび１ｂに所望の割合（例えば半分づつ）で冷却風を導くようにしても良い。このようにフレームの形状を適切に選択し、液晶パネルの両側表面の温度に応じて冷却風の流れを制御すれば、液晶パネル全体をより効果的に冷却し得る。
【００６０】
（実施形態２）
図５は、実施形態２の液晶表示素子を示す。実施形態２の液晶表示素子が、実施形態１の液晶表示素子と異なる点は、フレーム２の下端部（傾斜部２ａ）において、冷却風の流れの方向に沿うように、複数の羽根５が設けられていることである。
【００６１】
このような羽根５を設けることによって、ファンから傾斜部２ａに供給された冷却風の流れを安定させ、液晶パネルに均一に風を送ることができる。また、冷却風が羽根５に当たることによって、小さい渦が発生し得る。その結果、液晶パネルの表面には、うねりのある熱の奪いやすい風を流すことができる。
【００６２】
また、このような羽根５を設けることによって、液晶パネル１やフレーム２に蓄積された熱を羽根５からも放熱され得るため、液晶表示素子を空冷する効果が高まる。
【００６３】
このような機構は、比較的大きなサイズを有する液晶表示素子において冷却効果を高める上で有利である。
【００６４】
（実施形態３）
図６は、実施形態３の液晶表示素子を示す。実施形態３の液晶表示素子が、実施形態１の液晶表示素子と異なる点は、遮光板６とパネル表面１ａとの間に隙間が形成されており、かつ、遮光板６がフレームの傾斜面２ａおよび２ｂを覆う位置まで延びていることである。このような構成において、遮光板６と傾斜面２ａとによって、ファンからの冷却風が液晶パネルの表面へと流れこむための開口部６ａが規定されている。また、遮光板６と傾斜面２ｂとによって、液晶パネルの表面から熱を奪った冷却風が排出する開口部６ｂが規定されている。
【００６５】
遮光板６は、フレーム２から突出した支持部２ｃおよび２ｄによって支持される。ただし、図６（ｃ）に示すように、支持部２ｃは、パネル表面に向かう冷却風の流れを妨げない位置に形成されており、冷却風が通過する空間６ａは確保されている。なお、支持部２ｄも支持部２ｃと同様に構成されている。
【００６６】
このように、冷却風の進入口を、遮光板６とフレームの傾斜部２ａとで挟まれた開口部６ａとして構成することによって、冷却風をより効果的にパネルの表面に導くことができる場合もある。例えば、冷却風を供給する手段として、予め圧縮された流速の速い空気を用いるような場合、このような隙間６ａを通すことによって、パネル表面付近を這うような熱を奪いやすい高速の気流（冷却風）を形成し得る。また、上述のように延長された遮光板６は、傾斜部２ａ付近において、パネル表面から外側に向かって離れようとする冷却風を、パネル表面へと強制的に向かわせる壁としての効果を奏し得る場合もある。
【００６７】
また、遮光板６と傾斜面２ｂとによって規定された開口部６ｂを設けることによって、液晶パネル１０に蓄積された熱は、開口部６ｂを流れる気流によって放出され得る。遮光板６の外側を流れる気流によって、開口部６ｂの付近が負圧となり、これにより生じる気流が液晶パネルに蓄積された熱を奪うことがあるからである。このような効果は、予め圧縮された流速の速い空気を用いるような場合において特に大きいと考えられる。
【００６８】
（実施形態４）
図７は、実施形態４の液晶表示素子を示す。図７に示す液晶表示素子は、上記実施形態２で説明した羽根５を有する構成（図５）と、上記実施形態３で説明した遮光板６とフレーム２との間に隙間を設ける構成（図６）とを組み合わせることによって実現される。
【００６９】
実施形態４の液晶表示素子では、羽根５を設けたことによって、冷却風の流れを安定させつつ、小さな渦を発生させて熱の奪いやすい風を液晶パネルの表面に供給することができる。これとともに、遮光板６とフレームの傾斜部２ａとの間の開口部６ａを通して冷却風を供給することができるので、圧縮空気を用いる場合などにおいて、パネル表面付近を這うような熱を奪いやすい高速の気流（冷却風）を供給することができる。
【００７０】
このように、本発明の表示素子は、各実施形態の構成を組み合わせることによって構成されていてもよく、相乗的な効果を奏し得る。例えば、図４に示すようなパネル両面に冷却風を供給するように構成された傾斜部４ａおよび４ｂにおいて、図５に示す羽根５を設けることも可能である。
【００７１】
（実施形態５）
図８は、実施形態５の液晶表示素子を示す。実施形態５の液晶表示素子では、液晶パネルの両表面１ａおよび１ｂに冷却風を導くようにフレームの傾斜部４ａおよび４ｂを構成するとともに、液晶パネルの入射側表面１ａおよび出射側表面１ｂのそれぞれにおいて、遮光板８ａおよび８ｂをパネル表面１ａおよび１ｂから所定の距離だけ離して設けている。
【００７２】
各遮光板８ａおよび８ｂの下側延長部８０ａおよび８０ｂは、各傾斜部４ａおよび４ｂとの間に隙間を有し、各パネル表面１ａおよび１ｂに風を導く経路を形成する。下側延長部８０ａおよび８０ｂは、傾斜部４ａおよび４ｂの傾斜面に対して平行な面を形成し、これらの間の隙間を流れる冷却風が、パネル表面に向かいやすいようにしている。
【００７３】
また、下側延長部８０ａおよび８０ｂは、傾斜部４ａおよび４ｂを超えて延びており、これらの間において、冷却風を導入するための開口が形成される。
【００７４】
このようにすれば、遮光板８ａおよび８ｂによって、冷却風を取りこみ、パネルの両側表面に向かう流れを形成することができる。なお、圧縮空気などを用いて、下側延長部８０ａおよび８０ｂによって規定される開口に選択的に冷却風を供給できるようにすれば、下側延長部８０ａおよび８０ｂはダクトの吸気口のように作用し得る。
【００７５】
以上、本発明の実施形態を説明したが、フレームの傾斜部の形状は、上記実施形態で説明した形状に限られず、表示パネルの周縁部に向けて供給される冷却風を表示パネルの表面に積極的に導くことができる限り、例えば図１０（ａ）および（ｂ）に断面を示すような種々の形状とすることができる。
【００７６】
また、本発明の表示素子は、表示パネルの周縁部に向けて供給される冷却風を表示パネルの表面に導くことが有効である種々の表示装置に対して適切に用いられ得る。
【００７７】
【発明の効果】
本発明によれば、フレームの形状を改良することによって、フレームの周縁部を流れる冷却風を表示パネルの表面へと積極的に案内し、これによりパネル表面の冷却効率を向上させることができる。このようにすれば、表示装置のサイズを大きくすることなく、表示パネルの表面を効果的に冷却することが可能になる。
【図面の簡単な説明】
【図１】本発明の実施形態に係る液晶プロジェクタを構成する部品のレイアウトを示す平面図である。
【図２】本発明の実施形態に係る液晶プロジェクタの一部を示す断面図である。
【図３】実施形態１の液晶表示素子の構成を示す図であり、（ａ）は光入射側の側面図（ｂ）は断面図、（ｃ）は光出射側の側面図である。
【図４】図３に示す形態とは別形態の液晶表示素子の構成を示す図であり、（ａ）は光入射側の側面図（ｂ）は断面図である。
【図５】実施形態２の液晶表示素子の構成を示す図であり、（ａ）は光入射側の側面図（ｂ）は断面図、（ｃ）は下側端面図である。
【図６】実施形態３の液晶表示素子の構成を示す図であり、（ａ）は光入射側の側面図（ｂ）は断面図、（ｃ）は（ｂ）のＡ−Ａ線に沿った断面図である。
【図７】実施形態４の液晶表示素子の構成を示す図であり、（ａ）は光入射側の側面図（ｂ）は断面図、（ｃ）は下側端面図であり、（ｄ）は（ｂ）のＡ−Ａ線に沿った断面図である。
【図８】実施形態５の液晶表示素子の構成を示す図であり、（ａ）は光入射側の側面図（ｂ）は断面図、（ｃ）は（ｂ）のＡ−Ａ線に沿った断面図である。
【図９】本発明の別の実施形態に係る液晶表示素子の平面図である。
【図１０】本発明の別の実施形態に係る液晶表示素子の断面図である。
【図１１】従来の液晶表示素子の端部を示す断面図である。
【符号の説明】
１  液晶パネル
１ａ  光入射側表面
１ｂ  光出射側表面
２  フレーム
２ａ，２ｂ  傾斜部
１０  液晶表示素子
１６  偏光板
２０  ダイクロイックプリズム
２２  投影レンズ
３０  冷却ファン
３２  風案内板
３４  風案内板の開口部
３６  風取入れ部
３８  アルミシャーシ
４０  フレキシブル基板
４２  フレキシブル基板の開口部
４４  接続端子
【図１】
0003583062.tif 000002
【図２】
0003583062.tif 000003
【図３】
0003583062.tif 000004
【図４】
0003583062.tif 000005
【図５】
0003583062.tif 000006
【図６】
0003583062.tif 000007
【図７】
0003583062.tif 000008
【図８】
0003583062.tif 000009
【図９】
0003583062.tif 000010
【図１０】
0003583062.tif 000011
【図１１】
0003583062.tif 000012